(57)【要約】【課題】ユーザ自身は意識せずにプログラムのバージョンアップを実施する。【解決手段】装置に対して着脱自在に装着され、光源ランプ18、装置のプログラムを記憶したメモリ29を備えたランプユニットLUと、光源ランプ18からの光を用い、入力される画像信号に応じた光像を形成して出射する投影系(11〜16，19〜27)と、プログラムを記憶するプログラムメモリ32と、プログラムメモリ32に記憶したプログラムに従い、投影系(11〜16，19〜27)での画像投影を含む装置の動作を制御すると共に、メモリ29，32に記憶される各プログラムのバージョン情報に基づき、メモリ29に記憶されるプログラムをプログラムメモリ32に転送して更新記憶させるＣＰＵ31及びメインメモリ33とを備える。【選択図】      図１
2008262129.tif 000002
【特許請求の範囲】
【請求項１】
装置に対して着脱自在に装着され、光源ランプ、及び装置のプログラムを記憶した第１のメモリを備えた光源ランプユニットと、
上記光源ランプからの光を用い、入力される画像信号に応じた光像を形成して出射する投影手段と、
プログラムを記憶する第２のメモリと、
第２のメモリに記憶したプログラムに従い、上記投影手段での画像投影を含む装置の動作を制御する制御手段と、
上記第１及び第２のメモリに記憶される各プログラムのバージョン情報に基づき、上記第１のメモリに記憶されるプログラムを上記第２のメモリに転送して更新記憶させるプログラム更新手段と
を具備したことを特徴とする投影装置。
【請求項２】
上記プログラム更新手段は、装置の電源投入時にプログラムの更新記憶を行なうことを特徴とする請求項１記載の投影装置。
【請求項３】
上記光源ランプを冷却する冷却手段をさらに具備し、
上記プログラム更新手段は、装置の電源切断前に上記冷却手段により上記光源ランプがクールダウンされるのと並行してプログラムの更新記憶を行なうことを特徴とする請求項１記載の投影装置。
【請求項４】
装置の電源切断前に上記冷却手段に電力を供給して上記光源ランプをクールダウンさせる専用の充電池をさらに具備し、
上記プログラム更新手段は、上記専用の充電池からの供給電力によりプログラムの更新記憶を行なう
ことを特徴とする請求項３記載の投影装置。
【請求項５】
装置に対して着脱自在に装着され、光源ランプと、装置のプログラムを記憶した第１のメモリとを備えた光源ランプユニットと、
上記光源ランプからの光を用い、入力される画像信号に応じた光像を形成して出射する投影手段と、
上記第１のメモリに記憶したプログラムに従い、上記投影手段での画像投影を含む装置の動作を制御する制御手段と
を具備したことを特徴とする投影装置。
【請求項６】
上記制御手段は、電源投入に伴うブート処理により上記第１のメモリに記憶されているプログラムを揮発性の第２のメモリに転送した上で、この第２のメモリに記憶されたプログラムに従って装置の動作を制御することを特徴とする請求項５記載の投影装置。
【請求項７】
入力される画像信号に応じた光像を形成して出射する投影手段を有した投影装置用の光源ランプユニットであって、
上記投影手段に光源としての光を供給する光源ランプと、
上記投影装置のプログラムを記憶した不揮発性メモリと
を上記投影装置に着脱自在に装着可能であることを特徴とする投影装置用光源ランプユニット。
【請求項８】
装置に対して着脱自在に装着された、光源ランプと装置のプログラムを記憶した第１のメモリとを備えた光源ランプユニット、上記光源ランプからの光を用いて、入力される画像信号に応じた光像を形成して出射する投影部、及び装置のプログラムを記憶した第２のメモリを備えた投影装置での投影制御方法であって、
上記第２のメモリに記憶したプログラムに従い、上記投影部での画像投影を含む装置の動作を制御する制御工程と、
上記第１及び第２のメモリに記憶される各プログラムのバージョン情報に基づき、上記第１のメモリに記憶されるプログラムを上記第２のメモリに転送して更新記憶させるプログラム更新工程と
を有したことを特徴とする投影制御方法。
【請求項９】
装置に対して着脱自在に装着された、光源ランプと装置のプログラムを記憶したメモリとを備えた光源ランプユニット、及び上記光源ランプからの光を用いて、入力される画像信号に応じた光像を形成して出射する投影部を備えた投影装置での投影制御方法であって、
上記メモリに記憶したプログラムに従い、上記投影部での画像投影を含む装置の動作を制御する制御工程を有したことを特徴とする投影制御方法。
【請求項１０】
装置に対して着脱自在に装着された、光源ランプと装置のプログラムを記憶した第１のメモリとを備えた光源ランプユニット、上記光源ランプからの光を用いて、入力される画像信号に応じた光像を形成して出射する投影部、及び装置のプログラムを記憶した第２のメモリを備えた投影装置に内蔵されたコンピュータが実行するプログラムであって、
上記第２のメモリに記憶したプログラムに従い、上記投影部での画像投影を含む装置の動作を制御する制御ステップと、
上記第１及び第２のメモリに記憶される各プログラムのバージョン情報に基づき、上記第１のメモリに記憶されるプログラムを上記第２のメモリに転送して更新記憶させるプログラム更新ステップと
をコンピュータに実行させることを特徴とするプログラム。
【請求項１１】
装置に対して着脱自在に装着された、光源ランプと装置のプログラムを記憶したメモリとを備えた光源ランプユニット、及び上記光源ランプからの光を用いて、入力される画像信号に応じた光像を形成して出射する投影部を備えた投影装置に内蔵されたコンピュータが実行するプログラムであって、
上記メモリに記憶したプログラムに従い、上記投影部での画像投影を含む装置の動作を制御する制御ステップをコンピュータに実行させることを特徴とするプログラム。
【発明の詳細な説明】
【技術分野】
【０００１】
本発明は、例えばプロジェクタ装置等に好適な投影装置、投影装置用光源ランプユニット、投影装置の投影制御方法及びプログラムに関する。
【背景技術】
【０００２】
従来、ソフトウェアのインストール、アンインストール、バージョンアップの際に、ソフトウェアの前提条件を確認し、不具合の発生を回避することを目的として、コンピュータが外部記憶装置のデータを読み込み、リソース関連情報とリソース関連情報更新データを比較し、インストール、アンインストール、バージョンアップの実行可否を判断し、実行不可の場合はエラーメッセージを出力装置に出力し、実行可能な場合はソフトウェアをインストール、アンインストール、バージョンアップし、リソース関連情報を更新するようにした技術が考えられている。（例えば、特許文献１）
【特許文献１】特開２００４−２５２６３３号公報
【発明の開示】
【発明が解決しようとする課題】
【０００３】
上記特許文献１に記載された技術は、インストール、アンインストール、及びバージョンアップいずれの動作も、ユーザの指示を受付けた上で実行するものとなっている。
【０００４】
近年は、パーソナルコンピュータ等の汎用コンピュータに限らず、多くの電子機器がコンピュータを内蔵しており、特にデジタル値のデータで画像や音声を取扱うような機器では、主流となるデータ形式の移り変わりなどに対応して、適宜プログラム、具体的にはファームウェアをバージョンアップさせる必要がある。
【０００５】
しかしながら、通常の運転動作とは異なるバージョンアップのための動作時に、上述した如くユーザ自身の所定の指示操作が必要となる装置では、機械の操作に不慣れなユーザは対応することが難しく、できればユーザ自身は無意識のうちに装置のバージョンアップを行なうことが望ましい。
【０００６】
しかるに、プレゼンテーションや、ホームシアターでのビデオ鑑賞等に使用されるプロジェクタ装置では、装置自体はインターネット等を介して通信を行なう手段を有していないこともあり、装置のバージョンアップを行なうためには、装置本体をユーザが販売店やその装置メーカーの運営するサービスセンターに持ち込む方法が一般的であり、バージョンアップを行なう間は当該装置を使用することができないなどの不具合があった。
【０００７】
本発明は上記のような実情に鑑みてなされたもので、その目的とするところは、ユーザ自身は意識せずにファームウェア等のプログラムのバージョンアップを実施することが可能な投影装置、投影装置用光源ランプユニット、投影装置の制御方法、及びプログラムを提供することにある。
【課題を解決するための手段】
【０００８】
請求項１記載の発明は、装置に対して着脱自在に装着され、光源ランプ、及び装置のプログラムを記憶した第１のメモリを備えた光源ランプユニットと、上記光源ランプからの光を用い、入力される画像信号に応じた光像を形成して出射する投影手段と、プログラムを記憶する第２のメモリと、第２のメモリに記憶したプログラムに従い、上記投影手段での画像投影を含む装置の動作を制御する制御手段と、上記第１及び第２のメモリに記憶される各プログラムのバージョン情報に基づき、上記第１のメモリに記憶されるプログラムを上記第２のメモリに転送して更新記憶させるプログラム更新手段とを具備したことを特徴とする。
【０００９】
請求項２記載の発明は、上記請求項１記載の発明において、上記プログラム更新手段は、装置の電源投入時にプログラムの更新記憶を行なうことを特徴とする。
【００１０】
請求項３記載の発明は、上記請求項１記載の発明において、上記光源ランプを冷却する冷却手段をさらに具備し、上記プログラム更新手段は、装置の電源切断前に上記冷却手段により上記光源ランプがクールダウンされるのと並行してプログラムの更新記憶を行なうことを特徴とする。
【００１１】
請求項４記載の発明は、上記請求項３記載の発明は、装置の電源切断前に上記冷却手段に電力を供給して上記光源ランプをクールダウンさせる専用の充電池をさらに具備し、上記プログラム更新手段は、上記専用の充電池からの供給電力によりプログラムの更新記憶を行なうことを特徴とする。
【００１２】
請求項５記載の発明は、装置に対して着脱自在に装着され、光源ランプと、装置のプログラムを記憶した第１のメモリとを備えた光源ランプユニットと、上記光源ランプからの光を用い、入力される画像信号に応じた光像を形成して出射する投影手段と、上記第１のメモリに記憶したプログラムに従い、上記投影手段での画像投影を含む装置の動作を制御する制御手段とを具備したことを特徴とする。
【００１３】
請求項６記載の発明は、上記請求項５記載の発明において、上記制御手段は、電源投入に伴うブート処理により上記第１のメモリに記憶されているプログラムを揮発性の第２のメモリに転送した上で、この第２のメモリに記憶されたプログラムに従って装置の動作を制御することを特徴とする。
【００１４】
請求項７記載の発明は、入力される画像信号に応じた光像を形成して出射する投影手段を有した投影装置用の光源ランプユニットであって、上記投影手段に光源としての光を供給する光源ランプと、上記投影装置のプログラムを記憶した不揮発性メモリとを上記投影装置に着脱自在に装着可能であることを特徴とする。
【００１５】
請求項８記載の発明は、装置に対して着脱自在に装着された、光源ランプと装置のプログラムを記憶した第１のメモリとを備えた光源ランプユニット、上記光源ランプからの光を用いて、入力される画像信号に応じた光像を形成して出射する投影部、及び装置のプログラムを記憶した第２のメモリを備えた投影装置での投影制御方法であって、上記第２のメモリに記憶したプログラムに従い、上記投影部での画像投影を含む装置の動作を制御する制御工程と、上記第１及び第２のメモリに記憶される各プログラムのバージョン情報に基づき、上記第１のメモリに記憶されるプログラムを上記第２のメモリに転送して更新記憶させるプログラム更新工程とを有したことを特徴とする。
【００１６】
請求項９記載の発明は、装置に対して着脱自在に装着された、光源ランプと装置のプログラムを記憶したメモリとを備えた光源ランプユニット、及び上記光源ランプからの光を用いて、入力される画像信号に応じた光像を形成して出射する投影部を備えた投影装置での投影制御方法であって、上記メモリに記憶したプログラムに従い、上記投影部での画像投影を含む装置の動作を制御する制御工程を有したことを特徴とする。
【００１７】
請求項１０記載の発明は、装置に対して着脱自在に装着された、光源ランプと装置のプログラムを記憶した第１のメモリとを備えた光源ランプユニット、上記光源ランプからの光を用いて、入力される画像信号に応じた光像を形成して出射する投影部、及び装置のプログラムを記憶した第２のメモリを備えた投影装置に内蔵されたコンピュータが実行するプログラムであって、上記第２のメモリに記憶したプログラムに従い、上記投影部での画像投影を含む装置の動作を制御する制御ステップと、上記第１及び第２のメモリに記憶される各プログラムのバージョン情報に基づき、上記第１のメモリに記憶されるプログラムを上記第２のメモリに転送して更新記憶させるプログラム更新ステップとをコンピュータに実行させることを特徴とする。
【００１８】
請求項１１記載の発明は、装置に対して着脱自在に装着された、光源ランプと装置のプログラムを記憶したメモリとを備えた光源ランプユニット、及び上記光源ランプからの光を用いて、入力される画像信号に応じた光像を形成して出射する投影部を備えた投影装置に内蔵されたコンピュータが実行するプログラムであって、上記メモリに記憶したプログラムに従い、上記投影部での画像投影を含む装置の動作を制御する制御ステップをコンピュータに実行させることを特徴とする。
【発明の効果】
【００１９】
本発明によれば、交換時期を有する消耗部品である光源ランプユニットに併せてファームウェア等のプログラムのバージョンアップを自動的に実行するものとしたので、ユーザ自身は意識せずにプログラムのバージョンアップを実施することが可能となる。
【発明を実施するための最良の形態】
【００２０】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のプロジェクタ装置に適用した場合の第１の実施形態について図面を参照して説明する。
【００２１】
図１は、同実施形態に係るプロジェクタ装置１０の電子回路の機能構成について説明する。  
同図で、入出力コネクタ部１１より入力される各種規格の画像信号が、入出力インタフェース（Ｉ／Ｆ）１２、システムバスＳＢを介して画像変換部１３で所定のフォーマットの画像信号に統一された後に、投影駆動部１４へ送られる。
【００２２】
この際、ＯＳＤ（Ｏｎ  Ｓｃｒｅｅｎ  Ｄｉｓｐｌａｙ）用のモード画像や後述するポインタ等の記号も必要に応じて画像信号上に重畳加工された状態で投影駆動部１４へ送られる。
【００２３】
投影駆動部１４は、送られてきた画像信号をビデオＲＡＭ１５に展開して記憶させた上でこのビデオＲＡＭ１５の記憶内容からビデオ信号を生成する。投影駆動部１４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子１６を表示駆動する。
【００２４】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２５】
しかして、マイクロミラー素子１６での反射光で光像が形成され、形成された光像が光学レンズユニット２２を介して、投影対象となるここでは図示しないスクリーンに投影表示される。
【００２６】
光学レンズユニット２２は、マイクロミラー素子１６で形成された光像を拡大してスクリーン等の対象に投影するものであり、合焦位置及びズーム位置（投影画角）を任意に可変できるものとする。
【００２７】
すなわち、光学レンズユニット２２中の図示しないフォーカスレンズ及びズームレンズは共に光軸方向に沿って前後に移動することで制御されるもので、それらレンズはステッピングモータ（Ｍ）２３の回動駆動により移動する。
【００２８】
また、上記光源ランプ１８をリフレクタ１７を含めて冷却するための冷却ファン２５が設けられ、この冷却ファン２５をモータ（Ｍ）２６が回転駆動する。
【００２９】
しかるに、上記光源ランプ１８の点灯駆動、及び上記カラーホイール１９を回転させるモータ（Ｍ）２４の回転駆動、上記ステッピングモータ２３の回動駆動、及び上記モータ２６の回転駆動をいずれも投影光処理部２７が実行する。
【００３０】
この投影光処理部２７はまた、リフレクタ１７に取付けられて光源ランプ１８の温度を検出する温度センサ２８からの温度データを入力する。
【００３１】
上記リフレクタ１７、光源ランプ１８、温度センサ２８と併せ、不揮発性のメモリ２９、及びこのメモリ２９のためのメモリインタフェース（Ｉ／Ｆ）３０が纏めてランプユニットＬＵ内に装備される。
【００３２】
このランプユニットＬＵは、プロジェクタ装置１０に対して着脱自在に装着されるものである。光源ランプ１８は、交換時期が例えば２０００時間程度と規定され、内部電極の劣化等により消耗した状態では、必要な輝度の光源光を出射することができなくなるもので、光源ランプ１８が消耗した場合にはユーザが新たなランプユニットＬＵを入手して交換する必要がある。
【００３３】
しかして、このランプユニットＬＵ内のメモリ２９は、例えばフラッシュＲＯＭなどの不揮発性メモリで構成され、プロジェクタ装置１０のファームウェア等のプログラムを記憶するもので、ランプユニットＬＵをプロジェクタ装置１０に装着している状態では、メモリ２９に記憶されているファームウェアはメモリインタフェース３０を介してシステムバスＳＢに読出される。
【００３４】
上記各回路の動作すべてをＣＰＵ３１が制御する。このＣＰＵ３１は、ファームウェアを含む動作プログラムや各種定型データ等を記憶したプログラムメモリ３２、メインメモリ３３を用いてこのプロジェクタ装置１０内の制御動作を実行する。
【００３５】
上記ＣＰＵ３１にはさらに、上記システムバスＳＢを介してインジケータ部３４、及び音声処理部３５が接続される。
【００３６】
インジケータ部３４は、電源の投入／切断状態、光源ランプ１８の温度異常などを複数のＬＥＤ（発光ダイオード）の点灯、点滅などにより表示する。
【００３７】
音声処理部３５は、ＰＣＭ音源等の音源回路を備え、投影動作時に与えられる音声データをアナログ化し、プロジェクタ装置１０の本体ケーシングの例えば背面に設けられるスピーカ３６を駆動して拡声放音させ、あるいは必要によりビープ音等を発生させる。
【００３８】
なお、ＣＰＵ３１に対して、キースイッチ部３７からユーザのキー操作に応じた操作信号が入力され、キースイッチ部３７はこのキースイッチ部３７からの入力に応じて制御動作を実行する。
【００３９】
このキースイッチ部３７は、例えば電源キー、ズームキー、フォーカスキー、入力選択キー、「Ｍｏｄｅ」キー、カーソル（「↑」「↓」「←」「→」）キー、「Ｅｎｔｅｒ」キー、「Ｃａｎｃｅｌ」キー等からなる。
【００４０】
次に上記実施形態の動作について説明する。  
図２は、プロジェクタ装置１０に図示しないＡＣ電源が供給され、且つキースイッチ部３７の電源キーの操作により装置の電源が投入された直後に、ＣＰＵ３１がプログラムメモリ３２に記憶されている動作プログラム中のＢＩＯＳ（基本入出力システム）に従って実行する処理内容を示す。
【００４１】
その処理当初には、メインメモリ３３やその他システムバスＳＢに接続される他の各種制御対象の初期設定を行なう（ステップＡ０１）。
【００４２】
その後、ランプユニットＬＵ内のメモリ２９に記憶されているファームウェア（以下図中「Ｆ／Ｗ」）のバージョン情報を読込み（ステップＡ０２）、その時点でプログラムメモリ３２にすでに記憶されているファームウェアのバージョン情報と比較することで、ファームウェアのアップデートが必要であるか否かを判断する（ステップＡ０３）。
【００４３】
ここで、ランプユニットＬＵ内のメモリ２９に記憶されるファームウェアのバージョン情報がプログラムメモリ３２に記憶されるファームウェアのバージョン情報よりも新しくアップデートする必要があると判断した場合にのみ、ランプユニットＬＵ内のメモリ２９に記憶されるファームウェアをメモリインタフェース３０を介して読出し、プログラムメモリ３２側のファームウェアの内容を書換えることでアップデートを実行する（ステップＡ０４）。
【００４４】
すなわち、上記ステップＡ０４でのバージョンアップ動作は、ランプユニットＬＵをそれまで使用していたものから新しいものに交換し、且つそれら新旧のランプユニットＬＵで内部の各メモリ２９に記憶されているファームウェアのバージョン情報が更新されている場合にのみ実行される。
【００４５】
しかるに、上記ステップＡ０４でのバージョンアップ動作の有無に拘わらず、その時点でプログラムメモリ３２に記憶されているファームウェアを起動し、ハードウェア構成部品である光源ランプ１８の点灯駆動やモータ２６による冷却ファン２５を用いた冷却を含む装置の起動処理を実行した上で（ステップＡ０５）、以上でこの図２の電源投入時の処理を終了し、通常の投影動作に移行する。
【００４６】
この種のプロジェクタ装置では光源ランプとして高圧水銀灯、超高圧水銀灯などを用い、例えば「２０００時間」のように交換時期が設定されている。この交換時期は、使用状況やランプ個体の耐久性のばらつきもあり、一律に厳密なものではなく、あくまでも目安ではあるが、概ねそれに近い時期を経るとランプ内部の電極が極端に劣化し、発光輝度が実用に耐えないレベルまでに低下してしまうことになる。
【００４７】
このように、予め交換時期が設定されている、換言すれば消耗部品であるランプユニットＬＵの交換と合わせて、装置のファームウェアのバージョンアップを自動的に実行するものとしたので、あえて買い置きなどせずに、ユーザは交換時期近傍となった時点で新しいランプユニットＬＵを入手することにより、ユーザ自身は意識せずにファームウェアのバージョンアップを実施することが可能となる。
【００４８】
また、特に上記実施形態では、ファームウェアのバージョンアップ動作を電源投入直後に行なうものとしたので、ユーザがランプユニットＬＵを交換した後に電源を投入すると、直ちに新しいファームウェアに基づいた投影動作を含む各種制御を実現できる。
【００４９】
（第２の実施形態）  
以下本発明をＤＬＰ（登録商標）方式のプロジェクタ装置に適用した場合の第２の実施形態について図面を参照して説明する。
【００５０】
図３は、同実施形態に係るプロジェクタ装置１０の電子回路の機能構成について説明するものであるが、上記図１に示したものとほぼ同様であるので、同一部分には同一符号を付加するものとしてそれら全体の説明は省略する。
【００５１】
加えて、この図３では、上記図１でのプログラムメモリ３２が存在せず、ファームウェアを含むＣＰＵ３１が実行する動作プログラムが全てランプユニットＬＵ内のメモリ２９に記憶されているものとする。
【００５２】
したがって、電源投入時から電源切断時に至るまで、ＣＰＵ３１は常にシステムバスＳＢ、ランプユニットＬＵのメモリインタフェース３０を介してメモリ２９から適宜動作プログラムを読出すことで、電源投入直後の初期化処理、通常の投影処理、電源切断が指示されてからのクールダウン処理、及びクールダウンを終えての電源切断処理を実行する。
【００５３】
このように、上記図１で示したプログラムメモリ３２の構成を省略し、プロジェクタ装置１０の構成をより簡素として製造コストの低減を図ることができる。
【００５４】
さらに、予め交換時期が例えば設定されている、換言すれば消耗部品であるランプユニットＬＵを新しいものと交換することにより、装置のファームウェアを含む全てのプログラムのバージョンアップも自動的に実行されるものとなるので、ユーザはあえて買い置きなどせずに、交換時期近傍となった時点で新しいランプユニットＬＵを入手することにより、結果としてユーザ自身は意識せずにファームウェアのバージョンアップを実施することが可能となる。
【００５５】
（第２の実施形態の変形例）  
以下本発明をＤＬＰ（登録商標）方式のプロジェクタ装置に適用した場合の第２の実施形態の変形例についても図面を参照して説明する。
【００５６】
図４は、同実施形態に係るプロジェクタ装置１０の電子回路の機能構成について説明するものであるが、上記図３に示したものとほぼ同様であるので、同一部分には同一符号を付加するものとしてそれら全体の説明は省略する。
【００５７】
加えてこの図４では、上記図３の構成と同様に図１でのプログラムメモリ３２が存在せず、ファームウェアを含むＣＰＵ３１が実行する動作プログラムが全てランプユニットＬＵ内のメモリ２９に記憶されているものとする。
【００５８】
さらに、システムバスＳＢには、電源投入時にメモリ２９に記憶されている動作プログラムを読出してメインメモリ３３の所定の領域に格納するブートプログラムを記憶した、例えばフラッシュＲＯＭ等の不揮発性メモリでなるブートメモリ４１が接続される。
【００５９】
次に上記実施形態の動作について説明する。  
図５は、プロジェクタ装置１０に図示しないＡＣ電源が供給され、且つキースイッチ部３７の電源キーの操作により装置の電源が投入された直後に、ＣＰＵ３１がブートメモリ４１に記憶されているブートプログラムに従って実行する処理内容を示す。
【００６０】
その処理当初には、メインメモリ３３やその他システムバスＳＢに接続される他の各種制御対象の初期設定を行なう（ステップＢ０１）。
【００６１】
その後、ランプユニットＬＵ内のメモリ２９に記憶されているファームウェア（図中「Ｆ／Ｗ」）を読出し、上記初期化処理で初期化したメインメモリ３３の所定の領域に書込む（ステップＢ０２）。
【００６２】
以上でブートメモリ４１の役目を完了し、直前のステップＢ０２でファームウェアを転送したメインメモリ３３の上記所定の領域にアドレスをジャンプさせ（ステップＢ０３）、そのファームウェアを起動してハードウェア構成部品である光源ランプ１８の点灯駆動やモータ２６による冷却ファン２５を用いた冷却を含む装置の起動処理を実行した上で（ステップＢ０４）、以上でこの図５の電源投入時の処理を終了し、通常の投影動作に移行する。
【００６３】
以後、電源を切断するまで、電源投入状態が維持される間はメインメモリ３３の所定の領域に保持されたファームウェアがリフレッシュされながら維持される
このように、ごく小容量のブートプログラムを記憶したプログラムメモリ３２を上記図３で示した構成に付加するのみで、回路規模としてはほとんど変わりない簡素なものとしながらも、メモリ２９に記憶したファームウェアをブート処理によりメインメモリ３３に転送した上で当該ファームウェアを実行するものとしたので、ＣＰＵ３１はより高速にファームウェアを実行することができる。
【００６４】
（第３の実施形態）  
以下本発明をＤＬＰ（登録商標）方式のプロジェクタ装置に適用した場合の第３の実施形態について図面を参照して説明する。
【００６５】
図６は、同実施形態に係るプロジェクタ装置１０の電子回路の機能構成について説明するものであるが、上記図１に示したものとほぼ同様であるので、同一部分には同一符号を付加するものとしてそれら全体の説明は省略する。
【００６６】
加えて、この図６では、通常動作時に外部から供給されるＡＣ電源に基づいて電源を管理する電源コントローラ５１を図示すると共に、この電源コントローラ５１が例えばリチウムイオン電池等の二次電池でなるバッテリ５２の管理も兼任し、上記ＡＣ電源が接続されている状態ではこのバッテリ５２が満充電状態となるように充電制御も行なうものとする。
【００６７】
次に上記実施形態の動作について説明する。  
図７は、プロジェクタ装置１０にＡＣ電源が供給され、それまで通常の投影動作を実行していた電源投入状態から、キースイッチ部３７の電源キーの操作により装置の電源の切断が指示された際に、ＣＰＵ３１がその時点でプログラムメモリ３２に記憶されているファームウェアに従って実行する処理内容を示す。
【００６８】
その処理当初には、入出力コネクタ部１１から入力される画像信号に対応して投影駆動部１４がマイクロミラー素子１６で光像を形成する投影動作を停止する（ステップＣ０１）。
【００６９】
同時に、光源ランプ１８の発光駆動を停止して消灯させ（ステップＣ０２）、ビデオＲＡＭ１５により回転駆動されるモータ２６の冷却風により光源ランプ１８を一定の温度まで冷却させるクールダウンの状態に移行する。
【００７０】
このときＣＰＵ３１は、電源の供給系統をそれまでのＡＣ電源からバッテリ５２に切換え、ユーザがＡＣ電源コードを取り外してもよいように電源コントローラ５１に切換制御させる（ステップＣ０３）。
【００７１】
この切換動作により、以後、ＣＰＵ３１を含めプロジェクタ装置１０内の各回路は、完全に電源を切断するまでバッテリ５２からの供給電力により動作するものとなる。
【００７２】
ＣＰＵ３１は、あらためてランプユニットＬＵ内のメモリ２９に記憶されているファームウェア（図中「Ｆ／Ｗ」）のバージョン情報を読込み（ステップＣ０４）、その時点でプログラムメモリ３２にすでに記憶されているそれまで動作していたファームウェアのバージョン情報と比較することで、ファームウェアのアップデートが必要であるか否かを判断する（ステップＣ０５）。
【００７３】
ここで、ランプユニットＬＵ内のメモリ２９に記憶されるファームウェアのバージョン情報がプログラムメモリ３２に記憶されるファームウェアのバージョン情報よりも新しくアップデートする必要があると判断した場合にのみ、ランプユニットＬＵ内のメモリ２９に記憶されるファームウェアをメモリインタフェース３０を介して読出し、プログラムメモリ３２側のファームウェアの内容を書換えることでアップデートを実行する（ステップＣ０６）。
【００７４】
すなわち、上記ステップＣ０６でのバージョンアップ動作は、直前の投影動作を始める前に、ランプユニットＬＵをそれまで使用していたものから新しいものに交換し、且つそれら新旧のランプユニットＬＵで内部の各メモリ２９に記憶されているファームウェアのバージョン情報が更新されている場合にのみ実行される。
【００７５】
しかるに、上記ステップＣ０６でのバージョンアップ動作の有無に拘わらず、光源ランプ１８での温度が予め設定されている閾値Ｔth以下となったか否かを温度センサ２８での検出結果により判断し（ステップＣ０７）、なっていければこのステップＣ０７の処理を繰返す。
【００７６】
こうしてステップＣ０７の処理を繰返し実行することにより、光源ランプ１８での温度が閾値Ｔｔｈ以下となるのを待機する。  
そして、光源ランプ１８での温度が閾値Ｔｔｈ以下となったと判断した時点で、光源ランプ１８が一定の温度まで低下し、クールダウンの処理を終えたものとして、冷却ファン２５によるモータ２６の回転駆動も含めて、このプロジェクタ装置１０内の全回路での動作を停止させるべくＣＰＵ３１が制御し（ステップＣ０８）、以上でこの図７の処理を終了する。
【００７７】
このように、ランプユニットＬＵの交換に伴うファームウェアのバージョンアップ処理をあえて光源ランプ１８のクールダウン処理時に並行して実施するものとしたので、上記第１の実施形態での動作のように電源投入直後に行なうのを避け、電源投入時にはすみやかにユーザが所望するような投影動作に移行することができるものとした。
【００７８】
加えて、超高圧水銀灯などの高圧ランプを光源ランプとして使用する場合には、その短命化を避けるために必須となるクールダウン処理時を選択してファームウェアのバージョンアップ処理を並行して実施することにより、投影動作以外の他の必要な動作と干渉してしまうことがなく、ＣＰＵ３１の負担を軽減できる。
【００７９】
特に上記第３の実施形態では、ＡＣ電源以外に二次電池でなるバッテリ５２を設け、このバッテリ５２からの供給電力によりクールダウンを実行している際に併せてファームウェアのバージョンアップ処理を行なうものとしたので、例えばプレゼンテーションが終了してプロジェクタ装置１０を撤収するためにＡＣ電源コードをプロジェクタ装置１０の設置場所から回収するような作業中でもファームウェアのバージョンアップ処理を実行することができる。
【００８０】
この場合、光源ランプ１８が一定の温度となるまでのクールダウンのために冷却ファン２５を回転駆動するモータ２６の消費電力に比して、ＣＰＵ３１がファームウェアのバージョンアップ処理に要する電力はほとんど問題にならないほど軽微である。
【００８１】
そのため、バッテリ５２の供給電力を無駄に消費してしまうことはなく、当然ながらファームウェアのバージョンアップ処理のためにバッテリ５２の電力を消費し尽くしてしまい、光源ランプ１８のクールダウンが不完全なものとなってしまうような事態もあり得ない。
【００８２】
なお、上記第１乃至第３の実施形態はいずれも、プロジェクタ装置１０としてＤＬＰ（登録商標）方式のプロジェクタ装置に適用した場合について説明したが、本発明は投影装置でのプロジェクタ方式等を限定するものではなく、例えば透過型のカラー液晶パネルを表示素子として投影動作を実行する液晶方式のプロジェクタ装置、あるいは原色の光源を時分割でモノクロの液晶表示パネルに透過させるフィールドシーケンシャル駆動の液晶方式のプロジェクタ装置等、光源となるランプユニットが消耗した場合に交換可能な装置であれば同様に適用することが可能である。
【００８３】
その他、本発明は上述した実施形態に限定されるものではなく、実施段階ではその要旨を逸脱しない範囲で種々に変形することが可能である。また、上述した実施形態で実行される機能は可能な限り適宜組合わせて実施しても良い。上述した実施形態には種々の段階が含まれており、開示される複数の構成要件により適宜の組合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００８４】
【図１】本発明の第１の実施形態に係るプロジェクタ装置の電子回路の概略機能構成を示すブロック図。
【図２】同実施形態に係る電源投入時の主としてファームウェアに関する処理内容を示すフローチャート。
【図３】本発明の第２の実施形態に係るプロジェクタ装置の電子回路の概略機能構成を示すブロック図。
【図４】同実施形態の変形例に係るプロジェクタ装置の電子回路の概略機能構成を示すブロック図。
【図５】同実施形態の変形例に係る電源投入時の主としてファームウェアに関する処理内容を示すフローチャート。
【図６】本発明の第３の実施形態に係るプロジェクタ装置の電子回路の概略機能構成を示すブロック図。
【図７】同実施形態に係る電源切断時の主としてファームウェアに関する処理内容を示すフローチャート。
【符号の説明】
【００８５】
１０…プロジェクタ装置、１１…入出力コネクタ部、１２…入出力インタフェース（Ｉ／Ｆ）、１３…画像変換部、１４…投影駆動部、１５…ビデオＲＡＭ、１６…マイクロミラー素子（ＳＯＭ）、１７…リフレクタ、１８…光源ランプ、１９…カラーホイール、２０…インテグレータ、２１…ミラー、２２…光学レンズユニット、２３…ステッピングモータ（Ｍ）、２４…モータ（Ｍ）、２５…冷却ファン、２６…モータ（Ｍ）、２７…投影光処理部、２８…温度センサ、２９…メモリ、３０…メモリインタフェース（Ｉ／Ｆ）、３１…ＣＰＵ、３２…プログラムメモリ、３３…メインメモリ、３４…インジケータ部、３５…音声処理部、３６…スピーカ、３７…キースイッチ部、４１…ブートメモリ、５１…電源コントローラ、５２…バッテリ（二次電池）、ＬＵ…光源ランプユニット、ＳＢ…システムバス。
【図１】
2008262129.tif 000003
【図２】
2008262129.tif 000004
【図３】
2008262129.tif 000005
【図４】
2008262129.tif 000006
【図５】
2008262129.tif 000007
【図６】
2008262129.tif 000008
【図７】
2008262129.tif 000009